(57)【要約】【課題】機構板の開放又は取外しを容易とすると共に、前面枠の閉鎖時には機構板の固定を確実なものとするパチンコ遊技機を提供する。【解決手段】方形枠状の機枠１の前面に前面枠２を開閉自在に設け、前記前面枠２の裏面側に球タンク３６等の裏機構部品を備えた機構板９を着脱可能に設け、前記機枠１に対し前面枠２を閉じることで前記機構板９が該機枠１内に収納されるパチンコ遊技機であって、前記機構板９の周縁部に係合する係止片３１を前記前面枠２の裏面側に突設し、前記係止片３１は機構板９に所定の係合量をもって係合する鉤状係合部３２と、前記鉤状係合部３２が機構板９から離脱する前に前記機枠１の内面に接触することで機構板９からの離脱を阻止する背面部３３とを有し、前記機枠１に対して前面枠２を閉じた際に前記背面部３３が機枠１の内面と対向位置して機構板９の閉止状態が保持されるようにした。【選択図】図５
2005137594.tif 000002
【特許請求の範囲】
【請求項１】
方形枠状の機枠の前面に前面枠を開閉自在に設け、前記前面枠の裏面側に球タンク等の裏機構部品を備えた機構板を着脱可能に設け、前記機枠に対し前面枠を閉じることで前記機構板が該機枠内に収納されるパチンコ遊技機であって、
前記機構板の周縁部に係合する係止片を前記前面枠の裏面側に突設し、前記係止片は機構板に所定の係合量をもって係合する鉤状係合部と、前記鉤状係合部が機構板から離脱する前に前記機枠の内面に接触することで機構板からの離脱を阻止する背面部とを有し、前記機枠に対して前面枠を閉じた際に前記背面部が機枠の内面と対向位置して機構板の閉止状態が保持されるようにしたことを特徴とするパチンコ遊技機。
【請求項２】
方形枠状の機枠の前面に前面枠を開閉自在に設け、前記前面枠の裏面側に球タンク等の裏機構部品を備えた機構板を着脱可能に設け、前記機枠に対し前面枠を閉じることで前記機構板が該機枠内に収納されるパチンコ遊技機であって、
鉤状係合部を有する係止片を前記前面枠の裏面側に突設し、前記前面枠に対し前記機構板を装着した際に前記鉤状係合部を該機構板の周縁部に所定の係合量をもって係合させると共に、前記機枠に対し前記前面枠を閉じた際に、前記機枠の内面と前記係止片との隙間が前記係合量より小さくなるように設定することにより、前記機構板の閉止状態が保持されるようにしたことを特徴とするパチンコ遊技機。
【請求項３】
方形枠状の機枠の前面に前面枠を開閉自在に設け、前記前面枠の裏面側に球タンク等の裏機構部品を備えた機構板を着脱可能に設け、前記機枠に対し前面枠を閉じることで前記機構板が該機枠内に収納されるパチンコ遊技機であって、
前記機構板の周縁部に係合する係止片を前記前面枠の裏面側に突設すると共に、前記機枠の内面と前記係止片との隙間に挟入する介在片を備え、前記機枠に対し前記前面枠を閉じた際に、前記介在片によって前記係止片の機構板からの離脱が阻止されるようにしたことを特徴とするパチンコ遊技機。
【発明の詳細な説明】
【技術分野】
【０００１】
本発明は、遊技盤の裏面に機構板が開閉又は着脱自在に装着されるパチンコ遊技機に関するものである。
【背景技術】
【０００２】
従来のパチンコ遊技機は、機枠の前面に開閉自在に設けられる前面枠の裏面側に遊技盤取付枠が設けられ、その裏面側に球タンク，球払出装置等の裏機構部品を備えた機構板が開閉又は着脱自在に装着されている。そして、その機構板は遊技盤の裏面に密着させ、複数の係止具を作用させて遊技盤取付枠に押圧固定するように構成されていた。
【０００３】
また、上記したパチンコ遊技機にあっては、機構板の上部にパチンコ球が貯留される球タンクが設けられていることから、該球タンクに貯留されるパチンコ球の球重量によって機構板の上部が後方へ反ったり歪んだりして、球タンクのパチンコ球を球払出装置へ導くタンクレール等で球止りが発生して、パチンコ球の払出し動作に支障を及ぼすという問題があることから、その撓みを防止するために機構板の上部に係止具を設けて固定するようにしていた。
【特許文献１】特開平７−２３６７５２号公報
【発明の開示】
【発明が解決しようとする課題】
【０００４】
しかしながら、機構板を開放又は取外す際には、複数の係止具を操作解除するのは面倒であり、しかも機構板の左右に設けられる係止具は、目立つため意識的に係止解除するが、上部に設けられる係止具は、つい忘れがちになり機構板を開放又は取外そうとした際に機構板が動かないのに気付いて、初めて機構板の上部の係止具を操作解除する等手間がかかっていた。また、係止具の取外しを簡単にすると、パチンコ球の球荷重により簡単に外れてしまい、意味のないものとなっていた。
【０００５】
そこで、本発明の目的は、上記課題を解決し、機枠に前面枠が閉鎖されたパチンコ遊技機の使用状態で確実に機構板を係止して、機構板の反り・撓みを防止するパチンコ遊技機を提供しようとするものである。
【課題を解決するための手段】
【０００６】
上記課題を解決するために、請求項１記載の発明は、方形枠状の機枠の前面に前面枠を開閉自在に設け、前記前面枠の裏面側に球タンク等の裏機構部品を備えた機構板を着脱可能に設け、前記機枠に対し前面枠を閉じることで前記機構板が該機枠内に収納されるパチンコ遊技機であって、前記機構板の周縁部に係合する係止片を前記前面枠の裏面側に突設し、前記係止片は機構板に所定の係合量をもって係合する鉤状係合部と、前記鉤状係合部が機構板から離脱する前に前記機枠の内面に接触することで機構板からの離脱を阻止する背面部とを有し、前記機枠に対して前面枠を閉じた際に前記背面部が機枠の内面と対向位置して機構板の閉止状態が保持されるようにしたことを特徴とする。ここでいう「周縁部」とは必ずしも端部とは限らず、周縁に形成される係止孔等も含まれ、さらに周縁部に位置する球タンク等の裏機構部品をも含む。また、ここでいう「前面枠の裏面側」とは、前面枠に限られるものではなく、遊技盤取付枠等の前面枠の裏面側に位置するものを含む。前記機構板は、前面枠に対して回動自在又は着脱自在に設けられるものであってもよい。また、機構板は１枚ものであっても複数に分割形成されたものであってもよく、該機構板に裏機構部品として必ずしも球タンクを設けなくてもよい。
【０００７】
請求項２記載の発明は、方形枠状の機枠の前面に前面枠を開閉自在に設け、前記前面枠の裏面側に球タンク等の裏機構部品を備えた機構板を着脱可能に設け、前記機枠に対し前面枠を閉じることで前記機構板が該機枠内に収納されるパチンコ遊技機であって、鉤状係合部を有する係止片を前記前面枠の裏面側に突設し、前記前面枠に対し前記機構板を装着した際に前記鉤状係合部を該機構板の周縁部に所定の係合量をもって係合させると共に、前記機枠に対し前記前面枠を閉じた際に、前記機枠の内面と前記係止片との隙間が前記係合量より小さくなるように設定することにより、前記機構板の閉止状態が保持されるようにしたことを特徴とする。また、ここでいう「係合量」とは、鉤状部と機構板と重なった部分の係止方向の距離を意味し、係合量が多いほど確実な係止が確保される。
【０００８】
請求項３記載の発明は、方形枠状の機枠の前面に前面枠を開閉自在に設け、前記前面枠の裏面側に球タンク等の裏機構部品を備えた機構板を着脱可能に設け、前記機枠に対し前面枠を閉じることで前記機構板が該機枠内に収納されるパチンコ遊技機であって、前記機構板の周縁部に係合する係止片を前記前面枠の裏面側に突設すると共に、前記機枠の内面と前記係止片との隙間に挟入する介在片を備え、前記機枠に対し前記前面枠を閉じた際に、前記介在片によって前記係止片の機構板からの離脱が阻止されるようにしたことを特徴とする。前記介在片は、前記係止片に一体に設けるようにしても別体に形成してもよく、別体に形成した際には機枠側に設けるようにしてもよい。このように、前記機枠の内面と前記係止片との隙間に介在片を移動可能に挟入させることで、係止片が機構板に係止した常態において、係止片が移動し得る隙間を機構板に係合している係合量より小さく設定して、係止片が機構板から無用に外れないようにでき、必要に応じて介在片を前記機枠の内面と前記係止片との隙間から後退させることで係止片の係合を解除することができる。
【０００９】
前記係止片の先端部を前記機構板が接触することにより該係止片が係止解除方向に作用するようにテーパー面として形成するのが好ましい。このように、係止片の先端部にテーパー面を形成することにより、係止片を直接操作することなく、機構板をテーパー面に押し付けるだけの簡単な作業で機構板を係止することができます。
【００１０】
また、方形枠状の機枠の前面に前面枠を開閉自在に設け、該前面枠の裏面側に球タンク等の裏機構部品を備えた機構板を着脱可能に設けたパチンコ遊技機であって、鉤状係合部を有しかつ弾性を付与した係止片を前記機枠の内側面に接触し得るように前記前面枠の裏面側に突設し、前記前面枠に対し前記機構板を装着した際に前記鉤状係合部を該機構板の周縁部に所定の係合量をもって係合させるとともに、前記機枠に対し該前面枠を閉じることで該機構板が該機枠内に収納された際に、前記機枠の内面によって前記係合量が最大となるようにするのがよい。また、前記係止片の機枠側の端面を先端に向かってテーパー状に形成するのが好ましく、機枠と接触した際に確実に係止片を内方（係止方向）に撓ませることができる。ここでいう「弾性を付与」とは係止片自体を合成樹脂等により形成することにより、その材質の特性により弾性を付与するようにしても、スプリング，ばね等の弾性部材により弾性を付与するようにしてもよい。前記係止片には、機構板の周縁部に所定の係合量をもって係合する鉤状係合部が形成され、前記機枠の内側面に対向して前面枠の閉鎖時に該機枠の内側面に接触し得る作用片を設けるのが好ましい。
【００１１】
前記係止片を別体に形成するのが好ましく、係止片が破損しても交換が容易であり、前面枠又は遊技盤取付枠と一体に形成するのと比して成型コストの低減化が図られる。前記係止片の取付手段は限定されるものではなく、ビス，弾性係止片により取着する等任意に選択し得る。
【００１２】
前記係止片を着脱自在に設けると共に、前記前面枠に前記係止片の取着部を複数箇所に設け、任意で係止片の取付位置を変更し得るようにするのが好ましい。
【００１３】
また、前記係止片の取付け個所は、限定されるものではなく、機構板に対して上部であっても、左右両側又は下部であってもよい。前面枠を閉鎖した状態で係止片の移動し得る隙間が係止片の係合量より少なく設定し、係止片が機構板から外れないようにすればよい。
【００１４】
また、係止片を前面枠側に設けるようにしたが、係止片を機構板側に設けて該係止片が前面枠側に係止するようにしても同様の効果を奏することができる。つまり、方形枠状の機枠の前面に前面枠が開閉自在に設けられ、前記前面枠の裏面側に球タンク等の裏機構部品を備えた機構板が装着されるパチンコ遊技機であって、前記前面枠及び機構板とを所定の係合量をもって係合する鉤状係合部を備えた係止片を前記前面枠又は機構板のいずれかに突設し、前記前面枠を機枠に対して閉鎖し前記機構板が該機枠内に収納した際に、前記係止片と機枠との隙間を前記係合量より小さく設定すればよい。
【００１５】
また、係止片は機枠の内側面により直接規制することなく、別部材を介して係止片の解除方向への変位量を規制するようにしてもよい。例えば、前面枠を機枠に係止する受金具によって、係止片の解除方向への変位量を規制するようにすればよい。
【００１６】
前記係止片は回動自在に設けるようにしてもよく、好ましくはスプリング等の弾性部材により係止方向に付勢させるのがよい。また、係止片の取付位置によっては、弾性部材を設けることなく自重により係止方向に回動させるようにしてもよい。
【００１７】
上記のように構成されたパチンコ遊技機は、所定の係合量をもって係合する係止片によって機構板を係止することにより反りや歪みを抑止して、特に前面枠を閉鎖した状態で係止片と機枠との隙間を係止片の係合量より小さく設定することで、係止片の係合が確実なものとなり、ひいては機構板の反りによる球誘導樋等における球止まりを確実に防止することができる。
【発明の効果】
【００１８】
本発明によれば、前面枠が機枠に閉鎖されたパチンコ遊技機の使用状態で、確実に機構板を係止して該機構板の反り・撓みを防止すると共に、機構板を開放又は取外す際には簡単に機構板の係止を解除することができる。
【実施例１】
【００１９】
次に、本発明の一実施例を図面を参照して説明する。図１はパチンコ遊技機の正面図、図２はパチンコ遊技機の裏面図である。図において、１は方形枠状に形成されたパチンコ機の機枠、２は前記機枠１の前面にヒンジ機構３により開閉自在に装着される前面枠であり、該前面枠２の裏面側に設けられる遊技盤取付枠４に遊技盤５が着脱自在に取着され、該遊技盤５は前面枠２の前面に開閉自在に設けられるガラス扉枠６を介して視認し得るように設けられる。さらに、ガラス扉枠６の下方には打球供給皿７が設けられ、その下方には前記打球供給皿７の余剰球を貯留する余剰球受皿８が設けられている。また、前記前面枠２の裏面側には機構板９が一側をヒンジ具１０により枢支して開閉自在に設けられている。
【００２０】
前記前面枠２の裏面上部には、図４及び図５に示すように遊技盤取付枠４の上方であり、ほぼ中央位置に前記機構板９の周縁部に係合する係止片３１をビス着により設けている。前記係止片３１は合成樹脂により形成され、その材質により弾性が付与されており、先端に所定の係合量をもって係合する鉤状係合部３２を有している。前記鉤状係合部３２は、係止段部３２ａが形成され、該係止段部３２ａから先端に向かうテーパー面３１ａとして形成しており、該テーパー面３１ａに機構板９が接触して該係止片３１を係止解除方向に作用するようにしている。また、前記係止片３１は、前記前面枠２を機枠１に対して閉鎖し前記機構板９が、該機枠１内に収納された際に、前記係止片３１の機枠１側の端面と機枠１の内面との隙間Ｓ１が前記鉤状係合部３２と機構板９との係合量Ｓ２より小さく設定されるように取付けられる。ここでいう「係合量」とは、鉤状係合部３２と機構板９と重なった部分の係止方向の距離を意味し、係合量が多いほど確実な係止が確保される。また、実施例において、係止片３１の背面部に前記隙間Ｓ１を設定する帯片状の間隔規制部３３を突設し、前記間隔規制部３３の先端外面を先端に向けたテーパー面３１ｂとすることにより、前面枠２を機枠１に閉じる際に、前記係止片３１の先端が機枠１の前面壁に当たったとしても、前記テーパー面３１ｂにより係止片３１を機枠１の内面にスムーズに潜り込ませることができる。なお、前記間隔規制部３３は必ずしも設けなければならないもではなく、係止片３１の機枠１の内面と対向する背面部を間隔規制部として、直接機枠１の内面との隙間を規制し得る間隔に設定するようにしてもよい。
【００２１】
なお、前記前面枠２及びガラス扉枠６，機構板９の自由端は、前面枠２の裏面に設けられる施錠装置１１によって施錠される。前記施錠装置１１は、図７に示すように前面枠２の自由端の裏面に固設されるＬ字状の基板１２と、前記基板１２の長手方向に沿って摺動自在に設けられ前面枠２及びガラス扉枠６，機構板９を開閉するための施錠杆１３と、前記基板１２に取付けられるシリンダ錠１５と、前記シリンダ錠１５の錠軸に固着され前記施錠杆１３の摺動方向に操作力を伝達し摺動させるカム板１６とで構成されている。前記施錠杆１３には、長板状の上下部に機枠１に設けられる受金具２１に係止する上下一対の下向き鉤片２２，２２と、前記ガラス扉枠６の裏面に開口して設けられる係止部（図示せず）に係止する上向き鉤部材２７と、前記機構板９に設けられる係合孔１７に係脱する鉤状片１８とが長孔１９ａ〜１９ｃを介して、スプリング２３ａ〜２３ｃによって常に鉤片２２，鉤部材２７，鉤状片１８を施錠方向に付勢している。前面枠２を施錠する鉤片２２は、施錠杆１３に形成した長孔１９ａに一端を軸ピン１４ａにより摺動自在に設け、スプリング２３ａにより前記長孔１９ａの下端に軸ピン１４ａが当接するように付勢している。前記長孔１９ａは、前記鉤部材２７の係合が解除される長さが選ばれる。次に、ガラス扉枠６を施錠する鉤部材２７は、施錠杆１３に形成した長孔１９ｂに一端を軸ピン１４ｂにより摺動自在に設け、スプリング２３ｂにより前記長孔１９ｂの上端に軸ピン１４ｂが当接するように付勢している。このとき、前記長孔１９ｂの長さは前記鉤片２２の解錠範囲長さと、さらに鉤状片１８の解錠範囲長さとをプラスした長さが選ばれる。また、機構板９の自由端を係止する鉤状片１８は、一端が施錠杆１３に形成した長孔１９ｃ及び基板１２に形成したガイド長孔２０に軸ピン１４ｃを介して回動自在に設けられ、スプリング２３ｃにより前記基板１２に形成したガイド長孔２０の下端に軸ピン１４ｃが当接するように付勢している。このとき、施錠杆１３に形成された長孔１９ｃは、前記鉤部材２７及び鉤片２２の係合が解除される長さをプラスした長さとして、常には軸ピン１４ｃがガイド長孔２０の下端に位置すると共に長孔１９ｃのほぼ中央に位置している。２８は施錠杆１３を手で操作する操作部である。また、前記施錠杆１３には、前記カム板１６がガラス扉枠６の解錠時に係合する凹欠係止部２９ａ及び前面枠２の解錠時に係合する係止段部２９ｂが形成されている。そして、鍵の操作によりカム板１６の操作力を施錠杆１３に伝達して、鉤片２２又は鉤部材２７を解錠方向に摺動させ、前面枠２及びガラス扉枠６を解錠するようにしている。また、機構板９の解錠は、前面枠２を開放して操作部２８を操作して施錠杆１３を上動させ、前記鉤状片１８と係合孔１７との係合を解除して機構板９が開放される。２５は、基板１２に設けられるガイド片であり、先端が機構板９側に下傾して、機構板９の閉鎖時に自由端側が荷重によりに下傾するのを所定位置に誘導し、前記鉤状片１８が係合孔１７に対向位置して係合しやすくするものである。なお、前記シリンダ錠１５及び鉤片２２，鉤部材２７，鉤状片１８の設置位置は実施例に限定されるものではなく、突出量等は任意に設定可能である。
【００２２】
前記機構板９は、前記遊技盤５の後面が臨む開口窓３５が開設され、該開口窓３５を閉塞するように所定高さを有するカバー部材３４が機構板９と一体に突出形成されている。そして、前記開口窓３５の周囲に球タンク３６等の多くの裏機構部品が固着されている。前記球タンク３６は、図４及び図８に示すように上面が開口する平面略長方形の箱状に形成されたタンク本体３６ａと、板状部材３６ｂとで構成している。そして、前記板状部材３６ｂを球タンク本体３６ａ内に装着して、パチンコ球が貯留される球貯留部３７とパチンコ球を整列して流下させる球整流部３８とを区画している。前記板状部材３６ｂの上面はほぼ平坦面であり、僅かに厚みを有する枠板状に形成され、下流側に球貯留部３７のパチンコ球を球整流部３８に流出させる球導出口３９が開設されると共に、該球導出口３９の前後両側開口縁にパチンコ球の半球程度の段部により球崩し部４０が隆起して形成されている。前記球整流部３８は、前記球導出口３９の下方に位置して拡幅状に形成された球受け部４１と、該球受け部の下流側に連設してパチンコ球が１列又は半複列で流下する凹溝状の整流路４２と、該整流路４２に並列して段状に設けられ該整流路４２に下流側で合流するように設けられる補助通路部（図示せず）によって構成している。前記整流路４２は実施例において約１８ｍｍの通路幅としてパチンコ球が球心をずらしてランダムに流下し得るようにしている。なお、４３は球受け部４１及び整流路４２に敷設される金属板であり、パチンコ球の流下による磨耗を防止すると共に静電気のアースとしての用をなす。該球タンク３６は、後述する傾斜樋４４ａと共にカバー部材３４の立壁３４ａにより下端を支持されている。
【００２３】
前記整流路４２の下流には、図９に示すように球誘導樋４４が接続され、該球誘導樋４４は開口窓３５の上方に位置する傾斜樋４４ａと開口窓３５の側方に位置する屈曲樋４４ｂとにより逆Ｌ字状に形成されている。そして、前記屈曲樋４４ｂは、一条で導かれる供給通路４５を機構板９に対して垂直方向に屈曲させて、幅方向より奥行き幅が長くなるように機構板９に立設して前記カバー部材３４に沿うように設けられ、その支持部にはリブ壁３４ｂを設けて立壁３４ａを補強すると共に前記球誘導樋４４の側面の支持を確実なものとしている。また、前記球誘導樋４４の上部には配電盤４６が設けられ、多数の配線Ｈが接続されている。なお、前記球タンク３６の球導出口３９を後面壁端部又はその近傍に形成し、それに伴って前記整流路４２及び傾斜樋４４ａを前記カバー部材３４の後端近傍位置となるように設け、遊技盤５裏面の空間部を広くすることができ有効活用できる。
【００２４】
前記球誘導樋４４の下流側には、図９に示すように球払出装置４７が前記屈曲樋４４ｂと同様にカバー部材３４に沿うようにして機構板９に立設されている。前記球払出装置４７は、図１１に示すようにほぼパチンコ球の径に等しい薄型箱枠状のケース体４８に前記屈曲樋４４ｂの供給通路４５と連通する球通路４９と、前記球通路４９に進退自在に臨み最先のパチンコ球を制御支持する払出制御体５０と、前記払出制御体５０を駆動する電気的駆動源としてのソレノイド５１とを備え構成している。そして、前記払出制御体５０の上方に位置して鉛直面内で球荷重により回動する回転規制体５２が回動自在に設けられ、球通路４９を流下するパチンコ球の流速を制御すると共に、所定間隔をもって払出制御体５０に導くようにしている。そして、ソレノイド５１の励磁により払出制御体５０を回動させて、前記打球供給皿７に導く排出通路５３に排出させるようにしている。また、払出制御体５０の下流側に球抜き装置５４を設けて、操作部材５５の操作により払出制御体５０を回動させると共に通路を球抜き通路５６に切り替えるようにしている。このように、本実施例において球誘導樋４４及び球払出装置４７を横幅寸法より奥行幅寸法の長いほぼ一列状に設けることで、開口窓３５の大型化を図ることができ、近年複雑化する遊技に伴って遊技盤５の表示装置等の役物が大型化かつ複雑化しても容易に対応することができる。
【００２５】
また、前記開口窓３５の下方に入賞球集合樋５７が設けられ、その後面を覆うようにパチンコ球の払出しを制御する払出制御基板５８及び遊技内容を制御する基板ボックス５９が設けられる板状部材６０が一端を前面枠２に軸支して単独で開閉し得るように設けられ、他端はナイラッチ等の係止具６１により係止されている。つまり、板状部材６０は機構板９と共に開放され、係止具６１を外すと単独で開放される。なお、板状部材６０には静電気を除去すると共に補強用の鉄板を添設するのが好ましい。また、前記板状部材６０は、開放端を前面枠２側に係止するようにしてもよく、このとき、前記入賞球集合部５７側に緩やかな湾曲又は山形状として、その湾曲により機構板９の下部を前面枠２側に圧着させることで、機構板９が後面側に撓むのを防止する効果を奏することができる。このため、別途機構板９の下部を固定し、撓みを防止する係止具を設ける必要がなくなる。なお、もともと撓みやすい入賞球集合樋５７を前面枠２側に僅かに湾曲させるようにしても後面側への撓みを防止することができる。また、前記係止具６１を図１２に示すように、前記機構板９の係止具と同様に前記施錠装置１１に鉤状片１８等を設けるようにしてもよい。このとき、板状部材６０は機構板９に仮止めするのが好ましく、機構板９を開放した際に板状部材６０がフリー状態とならないようにするのがよい。さらに、好ましくは前記機構板９を閉鎖する際に板状部材６０の係合部が鉤状片１８に当接して、その勢いで機構板９との仮止めが外れないようにするために、板状部材６０が重合する機構板９に板状部材６０の係合孔１７に重合し連通する透孔を形成した係合片を設け、機構板９の閉鎖時に前記鉤状片１８を先ず係合片２６に接触させてから、板状部材６０の係止孔１７に係合するようにするのがよい。このとき、機構板９の係合片２６の透孔端部より板状部材６０の係合孔１７端部の方が上方に位置するようにして、確実に係合片２６に鉤状片１８が先に接触させるようにするのがよい。さらに、機構板９の係合片２６の透孔端部を板状部材６０の係合孔１７端部側に僅かに屈曲させることでより確実に鉤状片１８を係合孔１７端部より先に係合片に接触させることができる。なお、板状部材６０は単独で開閉し得るように前記施錠装置１１に鉤状片１８を設けるようにしてもよい。つまり、板状部材６０の鉤状片１８の解錠操作をしても機構板９の鉤状片１８が作用しないように単独で可動するように、施錠杆１３に長孔を設けるのがよい。
【００２６】
前記ヒンジ具１０は、図９及び図１０に示すように前面枠２側に取着される上下固定ヒンジ部材６２と機構板９側に取着される上下可動ヒンジ部材６３とにより構成されている。そして、前記上下固定ヒンジ部材６２は鋼やステンレス等の金属製の連結部材６８の上部及び下部に一体的に形成され、前記上下可動ヒンジ部材６３は鋼やステンレス等の金属製の補強フレーム６４の上部及び下部に一体的に形成されている。この実施例において、固定ヒンジ部材６３には軸孔６５が開設され、可動ヒンジ部材６３には前記軸孔６５に嵌挿される軸ピン６６が垂下されている。なお、ヒンジ具１０は、この実施の形態に限ることなく、固定ヒンジ部材６２に上向の軸ピン６６を設け、可動ヒンジ部材６３に軸孔６５を開設するようにしてもよい。また、前記連結部材６８には、前記可動ヒンジ部材６３が接触し、前記軸ピン６６の軸線が前記軸孔６５内に位置するように位置決めするガイド部６７が、前記固定ヒンジ部材６２と所定間隔（軸ピン６６の長さ以下）隔てて設けられ、該ガイド部６７と連結部材６８とで形成されるＬ字型のコーナー部に、可動ヒンジ部材６３を当接させ位置決めがなされる。なお、下方のガイド部６７は、連結部材６８とは別体に形成され、スポット溶接，リベット止め又はビス着により連結部材６８に固着されている。そして、前記ガイド部６７は、さらに延設して外方に屈曲して形成され、機枠１の後面又は機枠１に形成した係合部に係止する係止片１２２を設けている。これは、前面枠２の軸支側を撓ませてその隙間から針金等の不正具を挿入して行われる不正行為を防止するためのもので、前面枠２を機枠１に対して閉鎖した際に前記係止片１２２が機枠の後面に係止して、機枠１と前面枠２との間に隙間ができないようにしている。なお、前記係止片１２２は、ガイド部６７と一体に設けることなく、位置を違えて係止片１２２を単体で設けるようにしてもよい。また、係止片１２２をスポット溶接又はリベット止めにより連結部材６８に取付け、さらに前記係止片１２２を連結部材６８に取付けると共に前面枠２に対して連結部材６８を取付けるようにビスにより共締めするのが好ましい。なお、連結部材６８を屈曲させて係止片６８を一体に形成するようにしてもよい。また、前記連結部材６８には、遊技盤５の固定具８４の取付部８３が一体に設けられており、該取付部８３に固定具８４が回動自在にビス着されている。連結部材６８に形成された窪み部（図１０上部）は、遊技盤５を外す際に固定具８４に設けられた押圧突部８４ａが干渉しないようにする逃げ部である。なお、図上固定具８４の取付部８３を一箇所としているが、遊技盤５の中央又は下方等に位置するように複数箇所に設けてもよいのはいうまでもない。前記板状部材６０のヒンジを補強フレーム６４に設けるようにしてもよく、例えば補強フレーム６４に上向に突設した軸ピンを設け、板状部材６０側に軸孔を有するヒンジ部を設けるようにすればよい。
【００２７】
前記補強フレーム６４は、図１０に示すように一側が開放したコ字状として配線収納部６９を形成し、その配線収納開口に合成樹脂製の蓋部材７０を開閉自在に設けている。前記蓋部材７０は、一側に支軸７１を形成し他端に係止爪７２を設けて、所定個所に球払出装置４７等の配線を導く窓部７０ａが形成されている。前記支軸７１の近傍にスリットを設けて該支軸７１に弾性を付与し、前記係止爪７２の近傍にスリット又は透孔を形成して弾性を付与するのが好ましい。また、前記支軸７１の軸支片７３は補強フレーム６４の端部を屈曲して形成され、軸支片７３に形成された軸孔７４に前記支軸７１を挿通して軸支され、他端の係止爪７２は補強フレーム６４に形成された係止孔７５に係止して固定される。このとき、支軸７１及び係止爪７２に弾性を付与しているため、装着作業が容易となる。さらに、前記補強フレーム６４を延設して、前記球誘導樋４４及び球払出装置４７の側壁を支持する支持片７６を設けている。該支持片７６は前記球誘導樋４４及び球払出装置４７の側壁に沿った形状として、該側面をガードすると共に前記屈曲樋４４ｂ及び球払出装置４７の側面を支持して側方への倒れを防止するように機能している。また、前記蓋部材７０をクリア材で成型するのが好ましく、配線収納部６９の配線収納状態を視認することができる。また、前記屈曲樋４４ｂ又は球払出装置４７に設けられるアース用の鉄板と前記補強フレーム６４とを接触させて静電気を放電させるようにしてもよく、アース線を配線する煩わしさはない。さらに、球払出装置４７の電気的駆動源としてのソレノイド５１，モータを、前記補強フレーム６４に接触させて放熱させるようにして、駆動効率を高めるようにしてもよい。
【００２８】
このように形成されたヒンジ具１０は、ビス着によりそれぞれ前面枠２及び機構板９に固着される。そして、配線収納部６９に配線Ｈを施すには、蓋部材７０を開放して配線収納部６９を露呈させ、配電盤４６に接続された配線Ｈを収納部６９に沿って収納し、蓋部材７０の係止爪７２を係止孔７５に係止して収納部６９の開口を閉鎖すればよく、簡単に配線が収納できて操作性がよい。そして、配線収納部６９に収納された配線Ｈは、払出制御基板５８，基板ボックス５９に接続される。また、配線収納部６９が後面側に開口しているため、前面枠２が閉じた状態でも蓋部材７０が開放でき、配線処理を行うことができる。このように、配線収納部６９を導電性部材である金属製の補強フレーム６４により形成し配線を収納することにより、ノイズを遮断し遊技の誤作動等を防止するという優れた効果を奏します。なお、配線Ｈをヒンジ具１０に設けた配線収納部６９に収納するため、ヒンジ具１０による機構板９の開閉時に該配線Ｈがヒンジ部材６２，６３と接触して支障をきたさないように、機構板９に凹溝を形成したりガイドリブを設けたりして、確実に配線収納部６９に導かれるようにするのが好ましい。また、当然のことではあるが、配線Ｈはバンド等により結束して配線収納部６９に収納するようにしてもよい。
【００２９】
また、機構板９の自由端側には、図７に示すように前記上下係合孔１７の開口端を補強すると共に、鉤状片１８との係合具合を調整する補強板７８が機構板９の側縁に沿って設けられる連結プレート７９により一体に形成されている。そして、連結プレート７９は一部を断面Ｌ字状に形成しており、ほぼ中央に前記ガイド片２５に接触して機構板９を所定位置に導く規制片８０が設けられている。前記連結プレート７９は、前記補強板７８及び規制片８０の上端に設けられる５ｍｍ〜１０ｍｍ程度の取着用舌片７８ａ，８０ａを機構板９の側縁に形成される下向き袋状の挿通孔８１に挿通して、前記規制片８０の近傍にビスを螺締することで取付けられる。
【００３０】
次に上記構成の機構板９の装着について説明する。まず、機構板９の可動ヒンジ部材６３の端部をガイド部６７に当接させて軸ピン６６の軸線を固定ヒンジ部材６２の軸孔６５内に位置させ下方にスライドさせると、軸ピン６６が軸孔６５に挿通されて機構板９が前面枠２に対して開閉自在に装着される。そして、機構板９の自由端側を遊技盤５に押し付けるように閉鎖すると、連結プレート７９の規制片８０が施錠装置１１のガイド片２５に接触して機構板９を所定高さ位置に誘導すると共に、係合孔１７に鉤状片１８が臨んで、該鉤状片１８が補強板７８に接触して一旦下向き回動させる。そして、スプリング２３ｃの付勢により鉤状片１８が復帰回動して係合孔１７に係合し、機構板９が遊技盤５に密着状に固着される。また、機構板９を閉鎖する際に、前記係止片３１の先端が機構板９の周縁上端に接触し、係止片３１が図６鎖線に示すように弾性により上方に撓んで機構板９の閉鎖と同時に鉤状係止部３２が機構板９の裏面に係合する。このとき、係止片３１の先端がテーパー面３１ａとなっているので、作業者は直接係止片３１に触れることなく係止片３１を撓ませ機構板９に係止させることができる。このように、機構板９の上部中央に前記係止片３１が係止することにより、遊技盤５の裏面との密着状態が常時確固と維持され、反りや歪みが抑止される。そして、このように機構板９を装着した前面枠２を機枠１に対して閉鎖すると、前面枠２の自由端の施錠装置１１の鉤片２２が受金具２１に係止して施錠される。このとき、図５に示すように前記係止片３１の上端と機枠１の上枠の下面との隙間Ｓ１が、前記鉤状係止部３２と機構板９との係合量Ｓ２より小さく設定されているため、万一、球タンク３６に収容されるパチンコ球の球重量により機構板９が後方に拡開しようとする作用力が加えられて、係止片３１が外れる方向に反って撓もうとしても、同図鎖線に示すように係止片３１の間隔規制部３３の上端面が機枠１の内面に当接して、それ以上係止片３１が上動することができないので、鉤状係合部３２が機構板９から外れることがなく、確実に機構板９の固定状態を保持することができる。
【００３１】
次に、機構板９を開放させるには、鍵によりシリンダ錠１５を操作してカム板１６を回動させて、施錠杆１３を上動させ鉤片２２と受金具２１との係合を解除して前面枠２を開放させる。そして、前面枠２を開放させた状態で、施錠杆１３の操作部２８を操作して該施錠杆１３を上動させ、図６鎖線に示すように鉤状片１８を回動させて係合孔１７との係合を解除して、機構板９が開放し得る状態となる。なお、前記係止片３１は機構板９の周縁上端に係止した状態にあるが、機構板９を開放させるとその開放動作により係止片３１が撓んで、機構板９の裏面との係合が外れ、機構板９が確実に開放することができる。
【００３２】
このように、機構板９の開閉操作の際には係止片３１を直接操作することなく、係止片３１の撓みを利用して係脱することができ、しかも、前面枠２を閉鎖した状態では、機枠１の内面端縁に係止片３１が接触することにより、その鉤状係合部３２の離脱が阻止される。したがって、機構板９の装着が扱いやすく、取付けが確実なものとなる。なお、前記係止片３１は、該係止片３１の下面と遊技盤取付枠４の上面との間に、係止片３１が撓み得る空間部Ｋを有して取付けられ、係止片３１は機構板９との係合状態でさらに係止方向に撓み得るようにしている。このとき、鉤状係合部３２は前面枠２が機枠１から開放された状態で、機構板９に鉤状係合部３２の一部が係止している状態にあり、万一前面枠２の閉鎖時に係止片３１の外側面が機枠１の内側面に接触しても、空間部によって係止片３１が内方に撓み得るため、前面枠２は何の支障もなく閉鎖することができる。却って、機構板９との係合量が増大し、機構板９の取付けを確実なものとして、機構板９の反り・撓みを防止することができる。また、機構板９が所定の角度以上に回動すると、前記可動ヒンジ部材６３の水平板状部が、ガイド部６７の下方に入り込み該ガイド部６７により可動ヒンジ部材６３の上動が阻止されて、機構板９の連繋が外れることはない。このため、機構板９を開放した際の勢いによって機構板９が外れることがない。
【００３３】
図１３は係止片３１の他の実施例を示し、前記実施例と異なる点は、予め係止片３１を内方（係止方向）へも撓み得るように弾性を付与して鉤状係合部３２側に空間部を有して設けると共に、前面枠２の閉鎖時に係止片３１と機枠１の内側端面とが接触し得るようにした点である。実施例において、係止片３１の背面部に機枠１の内側端面と接触する作用片８６を設けて説明するが、該作用片８６は必ず設けなければならないものではなく、係止片３１の背面部を直接機枠１に接触させるようにしてもよい。前記作用片８６は、機枠１の内側端に接触し、係止片３１が機枠１の内側に潜り込むように先端に向かうテーパー面３１ｂとしている。このとき、係止片３１の鉤状係合部３２は、前面枠２の開放状態で機構板９に係止している常態で、係止片３１が内方に撓んでもさらに係止し得る余裕を持たせた大きさに形成している。つまり、常態では鉤状係合部３２の先端の一部が機構板９に係止している状態となっている。そして、この状態で前面枠２を機枠１に対して閉鎖すると、前記作用片８６の先端テーパー面３１ｂが機枠１の内側端に接触し、係止片３１が機枠１の内側に潜り込むように内側に撓み、機構板９との係合量が最大となり、より係止力を高めることができる。このように、前面枠２の閉鎖時に係止片３１の係止力が高められるので、前面枠２が機枠１から開放されている時には、機構板９は多少のがたつきがあっても仮止め程度の係止力で係止されていればよく、前面枠２を機枠１に対して閉鎖した際には、常に機枠１によって係止片３１が係止方向に押され係止力が増すことになるため、機構板９を強固に固定することができる。また、逆に常態で係止片３１と機構板９との係止具合に余裕（遊び）がないと、設計時に精密さが要求されることになりコスト高の要因となる。しかも、少しでも誤差があると、手を使わずに簡単に係止することができず、手間がかかることになる。このため、この係止片３１を上部のみならず、側方または下方に設けることにより、前記した鉤状片１８等の係止具を減らしたりなくしたりすることも可能となる。また、この実施例は、換言すれば、前面枠２を機枠１に対して閉じた際に、係止片３１が機枠１の内面に接触することにより、鉤状係合部３２が機構板９の周縁に係合するようにすればよい。極端にいえば、前面枠２の開放時に機構板９が閉鎖された状態でも、鉤状係合部３２が機構板９に係合していなくてもよい。
【００３４】
図１４及び図１５は係止片３１のさらに他の実施例を示す。この実施例は、前面枠２を機枠１に閉鎖した状態でも機構板９を開放し得るようにしたものであり、前面枠２を機枠１に対して閉鎖した常態では前記実施例と同様に、係止片３１の解除が阻止されるように前記機枠１の内面と前記係止片３１との隙間を調整する介在片として隙間規制片８８を前記係止片３１の機枠１側の端面と機枠１の内側面との隙間に進退するように移動自在に設けている。そして、該隙間規制片８８が前記機枠の内面と前記係止片との隙間に挟入しているときには、係止片３１が移動し得る隙間Ｓ３は、鉤状係合部３２の係合量Ｓ２より小さく設定されており、隙間規制片８８によって前記係止片３１の機構板９からの離脱が阻止されている。また、前面枠２の閉鎖状態で前記隙間規制片８８を前記係止片３１と機枠１の内側間から後退させ、係止片３１の係合量Ｓ２より該係止片３１の背面部と機枠１の内側面との隙間Ｓ１が大きいことで、前記係止片３１を解除し得るようになり、前面枠２を機枠１に閉鎖した状態で機構板９が開放できるようにした。なお、前記間隔規制片８８は、必ずしも係止片３１に一体的に設けることはなく、係止片３１と別体に形成して該係止片３１に一体的に取付けてもよく、さらには直接前面枠２，遊技盤取付枠４又は機枠１側に設けるようにしても同様の効果を奏することができる。
【００３５】
なお、図上前記鉤状係合部３２の係止段部３２ａの形状をほぼ直角としたが、鈍角にすることにより機構板９から外れやすくすることができ、逆に該角度を鋭角にすることで外れ難くすることができ、任意に設定することができる。このとき、係止段部３２ａの形状を鈍角として機構板９から外れやすくしても、前面枠２の閉鎖時に係止片３１が外れることはない。また、係止片３１の取付けを、ビス着としたがその装着方法は必要に応じて変更可能であり、別途係止具により取着したり、補強板等により挟み込んだりして取着するようにしてもよい。また、例えば係止片３１の基端部に二股の弾性係止片を設け、前面枠２には前記弾性係止片が係止する係合部を形成することにより、弾性係止片を係合部に係止して係止片３１を固定するようにしてもよい。好ましくは、弾性係止片の係止部に返しを設けて引張りによって弾性片が内方に撓まないようにするのがよい。
【００３６】
また、前記係止片３１の取付位置及び個数は何等限定されるものではなく、取付位置は機構板９に対して上部であっても、左右両側又は下部であってもよく、さらに取付場所は前面枠２に限らず遊技盤取付枠４に設けるようにしてもよい。また、係止片３１は機構板９の周縁部に直接係止することなく、機構板９の周縁部に設けられる球タンク３６等の裏機構部品に係止するようにしてもよい。また、係止片３１は必ずしも機枠１の内面により直接規制することなく、別部材を介して係止片３１の係止解除方向への変位量を規制するようにしてもよい。この係止片３１の係止解除方向への変位量を規制する別部材は、別途設けることなく、例えば、係止片３１を機構板９の側方に係止するように前面枠２の自由端側に設けた場合には、前記施錠装置１１の鉤片２２が係止する受金具２１により係止片３１の係止解除方向への変位量を規制するようにすればよい。このとき、係止片３１の係止解除方向への変位量を規制する受金具２１等の規制部材は、係止片３１が機枠１の内面に入り込み易いように、機枠１の前端面に向かうテーパー面として形成するのが好ましい。また、係止片３１を別途取付けるようにした際には、複数箇所にその係止片３１の取付け部を設け、機構板９の撓み具合等により任意に取付け場所及び取付け個数を変更し得るようにするのが好ましい。また、係止片３１は、前記前面枠２又は遊技盤取付枠４と一体に設けるようにしてもよい。また、鉤状係止部３２の係止段部３２ａ又は係止片３１に対応する機構板９の周縁部に板ばね等を設けて係止状態を確実なものとなるようにしてもよい。
【００３７】
なお、前記係止片３１は合成樹脂に限ることなく、金属片，板ばね等により形成して、弾性を付与するようにしてもよく、さらに、係止片３１をスプリング，ばね等の弾性部材を介することにより、係止方向に弾性を付与するようにしてもよい。このとき、係止片３１は図１６に示すように回動自在に設けるか、又は摺動自在に設けるようにするのが好ましい。但し、係止片３１の取付け場所によっては、弾性部材を介すことなく係止片３１の自重によって係止方向に付勢するようにしてもよい。また、特に実施例に示したように、側方に設けた係止具３１を鉤状片１８として上動させることにより係止解除させる場合には、係止具３１を図１６に示すように回動自在として前記鉤状片１８と係止片３１とをリンク等により同調して動くように連携させ、前記操作部２８を作用することにより機構板９を係止しているすべての係止具の係止を解除できるようにするのが好ましい。なお、前記係止片３１を回動自在に設ける際には、軸支部を前面枠２又は遊技盤取付枠４に一体に形成するのが好ましい。
【００３８】
また、前記係止片３１を前面枠２側に設けるようにしたが、係止片３１を機構板９側に設けて該係止片３１が前面枠２側に係止するようにしても同様の効果を奏することができる。前記機構板９を前面枠２に係脱する鉤状係合部３２を有する係止片３１を設け、前記係止片３１により機構板９を係止した前面枠２を機枠１に閉鎖した状態で、前記係止片３１の機枠１側の端面と機枠１の内側面との間隔を前記鉤状係合部３２が機構板９に係止する係合量より小さく設定すればよい。また、機構板９は１枚ものであっても複数に分割形成されたものであってもよく、該機構板９に裏機構部品として必ずしも球タンク３６を設けなくてもよい。当然のことではあるが、機構板９を分割形成した際にはそれぞれに係止片３１を機構板９の四側（上下左右）周縁に対応して設けるようにすればよい。また、係止片３１に替えて、前記受金具２１を延設して直接機構板９の後面に当接させても、機構板９の撓み・反りを防止することができる。
【００３９】
なお、前記カバー部材３４は実施例の形態に限られるものではなく、カバー部材３４全体を機構板９と別体に形成しても、カバー部材３４の立壁３４ａを機構板９と一体に形成し、その後面を閉塞する蓋部を別体に形成するようにしてもよい。なお、カバー部材３４の下面の立壁３４ａは必ずしも設けなければならないものではなく、少なくとも上面及び側面があれば強度を保持することができる。つまり、立壁３４ａは下向きコ字状か逆Ｌ字状であればよく、側面の立壁３４ａを一側とした際には球払出装置４７側の一側とするのが好ましい。このとき、他側は蓋部と共に開閉自在又は着脱自在に設けるようにすればよい。また、前記カバー部材３４の側方に位置する球誘導樋４４及び球払出装置４７を、カバー部材３４の立壁３４ａに沿うように直接取着するようにしてもよい。前記カバー部材３４を機構板９と別体に形成した際には、該カバー部材３４が球誘導樋４４及び球払出装置４７を備えたユニットとすることができる。なお、前記球誘導樋４４及び球払出装置４７の通路４５，４９の少なくとも一部をカバー部材３４に設けるようにしてもよい。また、球払出装置４７の配線を収納する配線収納部をカバー部材３４に沿って設けるようにしてもよく、好ましくは球誘導樋４４及び球払出装置４７の後面に位置させて、球誘導樋４４及び球払出装置４７の後面を保護するように設けるとよい。なお、予め球誘導樋４４及び球払出装置４７をユニット化したユニットベースをカバー部材３４に取付けるようにしてもよいのはいうまでもなく、前記ユニットベースに球誘導樋４４及び球払出装置４７を覆う保護カバーを設けることができる。さらに、ユニットベースに前記カバー部材３４の蓋部を係止する係止部を形成するようにしてもよい。
【００４０】
前記実施例において、機構板９はヒンジ具１０により開閉自在に装着されたが、固定具により直接機構板９を前面枠２に対して着脱自在に取着するようにしてもよく、図１７を参照して前記実施例と同じ構成要素には同一符号を付して説明する。なお、係止片３１は前記実施例と同様に機構板９のほぼ中央に位置して設けられる。そして、前記固定具は、図１７に示すように前面枠２側に取着される上下係止部材としての鉤状片１８と機構板９側に取着される上下係合部材９０とにより構成され、前記上下係合部材９０は補強フレーム６４により一体的に形成され、前記補強フレーム６４に該補強フレーム６４を少なくとも一側とする配線収納部６９が設けられている。具体的には、配線収納部６９は補強フレーム６４を屈曲して、該補強フレーム６４を機構板９へ取着した際に一側が開口するように形成している。また、係合部材９０は機構板９の前記鉤状片１８に対応する位置に補強フレーム６４により一体的に形成されている。また、係合部材９０には鉤状片１８が係合する係合孔８９が開設され、該係合孔８９を切欠して形成した切欠片８９ａの屈曲度合いによって、前記鉤状片１８との係合度合いを調整することができる。一方、前記鉤状片１８が設けられる連結杆９１は、前面枠２に設けられる取付板８７に対して摺動自在に配設している。前記連結杆９１には操作部９１ａが屈曲して設けられている。このように、機構板９を軸支することなく着脱自在とした際には、機構板９の閉鎖状態を保持するガイド片等の支持手段を設けるのが好ましく、該支持手段は機構板９の装着時に機構板９の支点（位置決め）となるようにして鉤状片１８と係合部１７を係合させるのがよい。なお、支持手段は、機構板９の上部を引っ掛けるようにしても、機構板９の下部を戴置支持するようにしてもよい。このときの支持部は、好ましくは前記補強フレーム６４及び連結部材６８と一体に設けるようにするのがよい。また、固定具は実施例に示した鉤状片１８に限定されることなく、鉤状片１８を固定的なものとして係止具により係止する等、他に様々な形態が考えられる。
【００４１】
上記のように構成した機構板９は、連結プレート７９の規制片８０をガイド片２５に支持させて、施錠装置１１の鉤状片１８と連結杆９１に設けた鉤状片１８とを係合孔１７，８９に係合させると共に、前記係止片３１を機構板９の上端に係止させることにより、機構板９が前面枠２に対して着脱自在に装着される。そして、このように機構板９を装着した前面枠２を、機枠１に対して閉鎖すると、係止片３１は機枠１の内側面により変位量が規制されて外れることはなく、球荷重による撓みも確実に防止することができる。また、機構板９を取外すには、前記実施例と同様に鍵により施錠装置１１を操作して前面枠２を開放し、前記操作部２８，９１ａを操作して施錠杆１３及び連結杆９１を上方にスライドさせることで鉤状片１８と係合孔１７，８９との係合を外し、さらに機構板９を取外す時に前記係止片３１が撓んで機構板９との係合が解除され、係止片３１を直接操作することなく取外すことができる。
【００４２】
また、前記鉤状片１８の係止解除を簡単にするために、鉤状片１８が設けられる施錠杆１３と連結杆９１とを同時に操作し得るようにリンク部材等を介してレバー部材を設けるのが好ましい。このレバー部材を操作することにより、施錠杆１３と連結杆９１とが同時に可動して、鉤状片１８と係合孔１７，８９との係合を一挙に解除することができ、機構板９の取外しが簡単となる。
【００４３】
また、前記遊技盤取付枠４に沿って設けられる前記取付板８７及び前記施錠装置１１の基板１２を、遊技盤取付枠４を直接構成する一部又は一側としてもよい。さらに、該取付板８７及び施錠装置１１の基板１２に、図１７に示すように遊技盤５を遊技盤取付枠４に前面又は後面から装着する際の位置決めとなる規制片１２０（図上遊技盤５の後面を位置決め）を延設するようにしてもよく、好ましくは該規制片の遊技盤５の当接面に弾性片を設けて、遊技盤５を圧接させるようにするのがよい。このとき、基板１２及び取付板８７が遊技盤取付枠４の角部をなすように、該基板１２及び取付板８７を正面Ｌ字状又はコ字状に形成してもよい。また、前記基板１２及び取付板８７に遊技盤５を遊技盤取付枠４に前面又は後面から装着する際の位置決めとなる規制片を延設するようにしてもよく、好ましくは該規制片の遊技盤５の当接面に弾性片をスポット溶接等により設けて、遊技盤５を圧接させるようにするのがよい。なお、前記規制片を波状としたり、規制片にスリットを設けて僅かに起こして該規制片に直接弾性片を形成するようにしてもよい。さらに、前記基板１２及び取付板８７に遊技盤５の固定具を取付ける取着部を延設又は形成するようにしてもよく、該取着部に固定具をビスにより回動自在に設けるようにすればよい。このように、施錠装置１１の近傍に位置する付随具（位置規制片，固定具の取着部等）を該施錠装置１１に設けるようにすることで、加工組立てが容易になり、コスト的にも削減することができる。また、遊技盤取付枠４の上面に平板状又はコ字状の補強金属板を添設するようにしてもよく、該補強金属に前記係止片３１を直接取付けたり、係止片３１を回動自在とした際の軸支部を設けたりしてもよい。
【００４４】
なお、実施例において、配線収納部６９を補強プレート６４に設けるようにしたが、機構板９における配線収納部６９は何等限定されるものではなく、例えば配線収納部６９は機構板９の裏面側に設けるようにしてもよい。具体的には、図１８及び図１９に示すように補強プレート６４の一端に軸孔７４を有する軸受片７３が設けられると共に、蓋部材７０の押え片９３を屈曲して設けている。また、機構板９に形成された配線収納部６９の他側壁には蓋部材７０の係止孔９４が形成されている。一方、蓋部材７０は、両端部に軸部７１を突設すると共に、短手方向の一側は切り溝により形成した弾性係止片９５を前記係止孔９４に係合するようにしており、該弾性係止片９５の外側に係合解除するための操作摘み９６を僅かに突出させている。また、軸支側の適宜位置に回動時に前記押え片９３を避けるように透孔９７が穿設されている。前記弾性係止片９５は、下方に垂下し係止爪９５ａを配線収納部６９側に設けている。弾性係止片９５に形成されている開口は、前記係止爪９５ａを成型する際の成型孔である。また、蓋部材７０の下面には、蓋部材７０を閉じる際に配線Ｈが噛まないように押さえ込むリブ状の押え部９８が所定間隔に形成されている。それにともなって、配線収納部６９の側壁に前記押え部９８が嵌まり込むスリット９９が形成されている。また、軸受片７３に軸孔７４を穿設するようにしたが、軸受片７３に補強プレート６４側に開放する凹欠きを形成し、該凹欠きの開放端側を補強プレート６４により閉鎖することにより軸部の軸受としてもよい。
【００４５】
さらに、図２０乃至図２２は、前記蓋部材７０の軸支構造の他の実施例を示し、前記実施例と異なる点は主に軸支部の構成であり、前記実施例と同じ構成には同一符号を付して説明する。この実施例において、配線収納部６９内に設けられた凹状の軸受リブ９９と補強プレート６４の屈曲片１００とにより軸支部を形成している。図上軸受リブ９９側を凹状としたが、屈曲片１００側をさらに折曲して軸を保持するようにしてもよい。また、蓋部材７０には、配線収納部６９の側壁内側に沿って位置決めリブ１０１が設けられると共に、前記補強プレート６４の屈曲片１００の下面に潜り込む浮防止片１０２が設けられ、蓋部材７０のがたつきをなくすようにしている。
【図面の簡単な説明】
【００４６】
【図１】パチンコ機の正面図である。
【図２】パチンコ機の裏面図である。
【図３】前面枠を開放した状態を示す裏面斜視図である。
【図４】球タンク部分の要部斜視図である。
【図５】図４の要部断面図である。
【図６】機構板の係止状態を示す要部断面図である。
【図７】施錠装置部分の要部斜視図である。
【図８】球タンク部分の断面図である。
【図９】機構板のヒンジ具部分の要部正面図である。
【図１０】ヒンジ具の分解斜視図である。
【図１１】球誘導樋及び球払出装置の側断面図である。
【図１２】他の施錠装置を示す要部斜視図である。
【図１３】弾性係止片の他の実施例を示す断面図である。
【図１４】さらに弾性係止片の他の実施例を示す斜視図である。
【図１５】図１４の断面図である。
【図１６】弾性係止片の他の実施例を示す断面図である。
【図１７】機構板の固定具による取付を示す要部斜視図である。
【図１８】配線収納部の他の実施例を示す要部分解斜視図である。
【図１９】図１８の要部断面図である。
【図２０】配線収納部のさらに他の実施例を示す要部正面図である。
【図２１】図２０の分解斜視図である。
【図２２】図２０の要部断面図である。
【符号の説明】
【００４７】
１          機枠
２          前面枠
９          機構板
３１        係止片
３１ａ      テーパー面
３２        鉤状係合部
３３        間隔規制部（背面部）
３６        球タンク
８８        間隔規制片（介在片）
Ｓ１        隙間
Ｓ２        係合量
【図１】
2005137594.tif 000003
【図２】
2005137594.tif 000004
【図３】
2005137594.tif 000005
【図４】
2005137594.tif 000006
【図５】
2005137594.tif 000007
【図６】
2005137594.tif 000008
【図７】
2005137594.tif 000009
【図８】
2005137594.tif 000010
【図９】
2005137594.tif 000011
【図１０】
2005137594.tif 000012
【図１１】
2005137594.tif 000013
【図１２】
2005137594.tif 000014
【図１３】
2005137594.tif 000015
【図１４】
2005137594.tif 000016
【図１５】
2005137594.tif 000017
【図１６】
2005137594.tif 000018
【図１７】
2005137594.tif 000019
【図１８】
2005137594.tif 000020
【図１９】
2005137594.tif 000021
【図２０】
2005137594.tif 000022
【図２１】
2005137594.tif 000023
【図２２】
2005137594.tif 000024